(57)【要約】【課題】内装・設備工事の工程シミュレーションと階層的管理を可能にすると共に作業工程に伴う時間、労務、資機材等の数量管理等を容易にするコンピュータによる工程管理システムを提供する。【解決手段】本発明のコンピュータによる工程管理システムは、内装・設備工事を作業に関する要素群と作業区画に関する要素群とに区分し、要素群を各要素の単独１、３と複合体１’、３’とに整理して、各工事の工程５〜７を単独と複合体とで管理することを基本にし、共通性の高い要素をライブラリに登録して内装・設備工事に再利用したり、作業区画と作業に関する各複合体が、最小単位や他の複合体を有しており、作業区画の最小単位が、作業に関する要素を有し、作業の最小単位が、作業に伴う労務・資機材に関する要素を有していることを特徴としている。【選択図】  図１
2004152135.tif 000002
【特許請求の範囲】
【請求項１】
躯体工事と内装・設備工事とから成る建築工事において各工事の工程をコンピュータによって管理している入力プログラムと工程管理エンジンとから構成されているコンピュータによる工程管理システムであって、内装・設備工事を作業に関する要素群と作業区画に関する要素群とに区分し、該要素群を各要素の最小単位と該最小単位の集合体である複合体とに整理して、各工事の工程を最小単位と複合体とで工事の工程を管理することを特徴とするコンピュータによる工程管理システム。
【請求項２】
共通性の高い要素が、ライブラリに登録されて内装・設備工事に再利用されることを特徴とする請求項１に記載のコンピュータによる工程管理システム。
【請求項３】
作業区画に関する複合体が、作業区画の最小単位及び／もしくは他の複合体を有していることを特徴とする請求項１又は２に記載のコンピュータによる工程管理システム。
【請求項４】
作業区画の最小単位が、作業に関する要素を有していることを特徴とする請求項１乃至３のいずれかに記載のコンピュータによる工程管理システム。
【請求項５】
作業に関する複合体が、作業の最小単位及び／もしくは他の複合体を有していることを特徴とする請求項１又は２に記載のコンピュータによる工程管理システム。
【請求項６】
作業の最小単位が、作業に伴う労務・資機材に関する要素を有していることを特徴とする請求項１又は５に記載のコンピュータによる工程管理システム。
【発明の詳細な説明】
【０００１】
【発明の属する技術分野】
本発明は、コンピュータによる工程管理システムに関し、特に、建築工事の内装・設備工事に作業区画と作業とに区分する作業工程を導入することで、内装・設備工事の工程シミュレーションと階層的管理及び作業工程に伴う時間、労務、資機材等の数量管理等の可能なコンピュータによる工程管理システムに関する。
【０００２】
【従来の技術】
従来における建築工事の工程計画では、躯体工事に関しては、詳細なサイクル工程を確立させていたが、内装・設備工事に関しては、この段階の工事に関与する多数の職種が、細かく区分された作業区域で、同時多発的な作業を、作業区画を移動しながら行っているために、全体を一本の工程バーで表示し、事実上は結果管理を行うに留まっていた。
【０００３】
このために、工程管理ソフト、例えばアルテミススケジュールパブリッシャー（以下、ＡＳＰと称する）等を用いた工程シミュレーションは、躯体工事段階に適用されるのみで、内装・設備段階においては、１フロアあたりの概算日数を代用特性にして利用する程度のものしか行われていなかった。
【０００４】
即ち、内装・設備工事段階のシミュレーションを、こうした工程管理ソフトで実施するには、細かい作業区画を設定し、これに対して、多数の職種の移動が伴う個々の作業を要素として定義する必要があった。このことは、データセットが複雑・大規模に成りすぎることになって、内装・設備工事段階に適用するには、実用的でなくなっているので、結果的に管理不能の状態に陥っていた。
【０００５】
しかるに、現場における実際の内装・設備工事は、複数の職種が同時多発的に並列もしくは直列に作業を遂行しているのが実態であることから、上述した工程管理システムのように個々の作業単位でデータの管理を行っている方式では、データセットが複雑、大規模になり過ぎることになって、適用するには実用的でなくなっており、結果的には管理不能の状態に陥っていた。
【０００６】
このために、内装・設備工事は、輻輳した工事内容を整理して作業効率の改善をコンピュータ等による工程管理に期待してきたが、依然として未解決の状況にあった。
【０００７】
又、内装される設備の設計管理を指向する下記の特許文献に記載されている手段も提案されている。
【０００８】
【特許文献】特開平７−９８７１９号（第３頁、右欄、段落番号００１４〜第４頁、右欄、段落番号００２２、第１〜４図）
【０００９】
本提案も、設備機器の多様さから発生する各設備に対する番号の重複付与や付け忘れ、あるいは工事竣工後における番号の手直しを回避しようとするものであり、上述したような内装・設備工事における工事内容を整理したり、コンピュータ等による工程管理を効率良く実施できるように改善しているものでない。
【００１０】
従って、内装・設備工事に関しては、輻輳した工事内容を整理してコンピュータ等による工程管理を高効率に実施できる工程管理システムは存在しておらず、作業効率の改善と躯体工事等との整合のためにも早急な提案が嘱望されている。
【００１１】
【発明が解決しようとする課題】
本発明は、上記の状況に鑑みて検討されたものであり、内装・設備工事を作業区画と作業に区分すると同時に、各区分を最小単位と最小単位の複合体とに整理して、工事の工程を各区分の最小単位と複合体とで管理することによって、内装・設備工事の工程シミュレーションと階層的管理を可能にすると共に作業工程に伴う時間、労務、資機材等の数量管理等を容易にするコンピュータによる工程管理システムを提供している。
【００１２】
【課題を解決するための手段】
本発明のコンピュータによる工程管理システムは、躯体工事と内装・設備工事とから成る建築工事において各工事の工程をコンピュータによって管理している入力プログラムと工程管理エンジンとから構成されているコンピュータによる工程管理システムにおいて、内装・設備工事を作業に関する要素群と作業区画に関する要素群とに区分し、要素群を各要素の最小単位と最小単位の集合体である複合体とに整理して、各工事の工程を最小単位と複合体とで工事の工程を管理することを基本にしており、具体的には、共通性の高い要素をライブラリに登録して内装・設備工事に再利用したり、作業区画と作業に関する各複合体が、最小単位や他の複合体を有しており、作業区画の最小単位が、作業に関する要素を有し、作業の最小単位が、作業に伴う労務・資機材に関する要素を有していることを特徴としている。
【００１３】
これによって、内装・設備工事は、コンピュータによる工程管理を導入することで、工程シミュレーションと階層的管理を可能になると共に、作業工程に伴う時間、労務、資機材等の数量管理を容易にしている。
【００１４】
【発明の実施の形態】
本発明のコンピュータによる工程管理システムは、内装・設備工事を作業に関する要素群と作業区画に関する要素群とに区分し、要素群を各要素の最小単位と最小単位の集合体である複合体とに整理して、各工事の工程を最小単位と複合体とで工事の工程を管理することを基本にして、共通性の高い要素をライブラリに登録して内装・設備工事に再利用したり、作業区画と作業に関する複合体に最小単位や他の複合体を有しており、作業区画の最小単位は、作業に関する要素を有し、作業の最小単位は、作業に伴う労務・資機材に関する要素を有するように構成している。
以下に、本発明の実施の形態を工程計画の流れに基づいて説明する。
【００１５】
本発明のコンピュータによる工程管理システムは、工程管理ソフト、アルテミススケジュールパブリッシャー（以下、ＡＳＰと称する）等の工程管理エンジンとデータファイルの作成プログラムである入力プログラムとから構成されている。
【００１６】
１．工事データの構成
図１は、本発明による工程計画の流れを示しており、内装・設備工事の工程管理エンジンにおけるテーブルを、作業に関する要素群と作業区画に関する要素群とに区分する形態を基本に構成している。
【００１７】
本実施の形態における作業に関する要素は、実作業から作業区画の要素を取り除いて抽象化したものであり、一方の作業区画に関する要素は、作業に関する要素に作業区画の要素を加えたものであって、これを配列することで内装・設備工事全体を表す実作業のシミュレーションを構築している。
【００１８】
作業に関する要素は、最初に最小単位である単独作業の定義１が行われ、次いで単独作業の一つ又は複数を組み合わせることで複合体としての連立作業の定義１’を行っている。本実施の形態における単独作業の定義例としては、墨出し、インサート取付、吊りボルト下げ、Ｃチャン、Ｍバー、開口、開口補強或いはボード張り、ボード開口、点検口取付等を挙げることが出来る。
【００１９】
各単独作業のテーブルは、図２に示すように複数の要素から構成されている。テーブルにおける名称の欄には、作業上の識別子として機能する単独作業の名称を記載し、仕様の欄には、単独作業を連立作業や作業区画に組み込む際の参照にするために、その仕様を記入している。又、単位に関する作業単位の欄には、作業の数量を表示するｍ２等の単位を記載するものであり、上位単位の欄には、本単独作業が含まれている上位作業からアクセスする場合の数量を表示するｍ等の単位を記載している。又、換算係数の欄には、上位作業当たりの単独作業の作業単位数を記載しており、換算係数＝単独作業の作業数量／上位作業の作業量、の関係で指示するものである。さらに、作業数量の欄には、単独作業が実施される作業量を記載するものであるから、シミュレーション時までは空欄である。
【００２０】
しかして、外部との関係に影響を与える時間に関して、開始・終了時刻及びその作業時間は、それぞれにシミュレーション時に入力するものであり、作業時間も同様にシミュレーション時に入力するが、入力がない場合は、工種の最大作業時間の値を参照にし、入力がある場合は、工種の作業時間における上限として作用している。
【００２１】
次いでの接続作業は、作業の開始・終了に影響を与えるが、作業と関係との欄には、接続する単独作業の名称や作業の開始・終了条件をシミュレーション時に設定するものである。
【００２２】
又、労務に関しては、作業に関与する職種の数だけ当該欄を配置するものであり、工種、歩掛及び標準人数を記載するが、人数と延べ人数作業時間は、シミュレーション時に入力することになる。同様に、資材、係数及び残係数には、資機材の名称、資機材量及び残材・廃材量を記載するが、資材量と残材量は係数及び残係数と作業数量から算出されることになる。
【００２３】
尚、所属に関しては、作業区画、上位作業の欄に具体名をシミュレーション時に入力することになる。
【００２４】
しかして、各単独作業は、共通性の高い要素としてライブラリに登録されており、内装・設備工事の全作業に再利用されることができるように配慮されるものである。
【００２５】
一方、各連立作業は、単独作業の一つ又は複数を組み合わせることで構成されるものであり、実施の形態としては、図３に例示しているように墨出しの単独作業の工程と、単独作業のインサート取付、吊りボルト下げ、Ｃチャン、Ｍバー、開口、開口補強等を組み合わせた連立作業の工程２−１及びボード張り、ボード開口、点検口取付等を組み合わせた連立作業の工程２−２として天井工事における全工程２を表現している。
【００２６】
各連立作業２のテーブルは、図４に示されているように単独作業の場合と同様に複数の要素から構成されているが、その内容は、図２で説明した単独作業のものと基本的に同様である。但し、単独作業のものと異なって、連立作業に直接含まれている単独作業に関連する要素が付加されている。
【００２７】
単独作業に関連する要素は、連立作業が直接含んでいる単独作業の数だけ表示されるものであって、単独作業の欄には、単独作業の名称を記載しており、作業関係に関する先行・後行作業の欄には、先行する作業の名称と後行する作業の名称を記載して、関係の欄には、作業間における論理型の相互関係を記載している。
【００２８】
又、労務に関しては、単独作業に関与する職種の数だけの組を持っており、資材に関しては、単独作業の持っている資機材の数だけ、複数の組を持っている。
【００２９】
次ぎに、作業区画に関する要素について説明する。
作業区画に関する要素は、作業に関する要素に作業区画の要素を加えたものであり、これらの要素を配列することによって内装・設備工事全体のシミュレーションを構築出来る。作業区画に関する要素は、作業に関する要素と同様に最小単位の定義が行われ、最小単位の一つ又は複数を組み合わせることで作業区画における内装・設備の全体工事を構成している。
【００３０】
本実施の形態における最小単位としての単独作業区画の定義例としては、物件名、事務室、居室、棟、階、廊下・ホール及び最小区画等を挙げることが出来る。又、各単独作業区画は、図５に例示するように、対象にする事務室の作業区画の中に天井工事の作業工程４−１をその一つとして、壁工事の作業工程４−２、カーペット工事の作業工程４−３、電気工事の作業工程４−４及び空調工事の作業工程４−５等を並べることで、事務室における全作業工程４を形成している。
【００３１】
各単独作業区画と複合作業区画のテーブルは、図６（ａ）、（ｂ）に示すように複数の要素から構成されている。
【００３２】
図６（ａ）に示す単独作業区画のテーブルにおける名称の欄には、作業が行われている区画の識別名称が記載されており、位置情報に関しては、作業区画の位置を表す情報であり、建物の規模に応じて階層構造を形成している。この階層構造は、必ずしも後述する複合体の階層構造と同一の構造を持つ必要はないが、同一の作業に属する作業区画については同じ構造を持つことが必要である。
【００３３】
即ち、位置（１）…位置（ｎ）の欄には、上記の定義例が記載されるものであり、仕様の欄には、作業区画を連立作業や工事に組み込む際に参照して利用するために、その仕様を記入している。面積の欄には、作業区画の面積をｍ２等の単位で記載し、外部との関係に影響を与える時間に関する、開始・終了時刻及び作業時間は、作業を開始する時刻と作業を終了する時刻とを記載しており、作業時間は作業に要する時間を記載している。
【００３４】
作業に関連する要素は、単独作業区画が直接含んでいる単独作業又は連立作業の数だけ表示される。そして、各単独作業区画は、各単独作業又は連立作業を要素として持っていることから、各作業間の上位下位や接続作業の関連は個々の作業が保持している機能に委ねられることになる。
【００３５】
複合作業区画に関しては、複合作業区画に組み込まれた時点で記載されることになるが、複合作業区画と作業順序の欄には、単独作業区画が含まれる複合作業区画名とその区画内での作業順序の関連を記載することになる。
【００３６】
又、労務に関しては、作業区画に含まれる単独作業の集計値として記載されるものであり、工種の欄には含まれる作業の名称が記載され、標準人数と延人数の欄には、単位時間当たりの標準的な投入人数と作業に要する時間から計算される延人数を記載することになる。尚、工種作業時間の欄は、シミュレーション時に入力することになる。
【００３７】
同様に、資材に関しては、作業区画に含まれる単独作業の集計値として記載されるものであり、資材、係数及び残係数の欄には、資機材の名称、資機材量及び残材・廃材量を記載するが、資材量と残材量の欄には、作業で必要とされる資機材量と発生する残材・廃材量を、作業数量と係数及び残係数とから算出して記載されている。
【００３８】
一方、各複合作業区画は、単独作業区画の一つ又は複数を組み合わせて纏めた区画として構成されるものであり、実施の形態としては、図７に例示しているように、事務室（ａ）〜事務室（ｃ）と廊下・ホールから構成される１階を一つの複合作業区画５−１として、多層階の各階をそれぞれに複合作業区画５−２〜複合作業区画５−４として建物５を構成することになる。
【００３９】
各複合作業区画のテーブルは、基本的に、上述した単独作業区画のテーブルにおける要素と同様に複数の要素から構成されているが、図６（ｂ）に示すような複合作業区画に特設される複合作業区画の欄を付加している。
【００４０】
複合作業区画の欄には、本複合作業区画に含まれる単独作業区画もしくは複合作業区画の名称を、直接に含まれるばかりでなく記載することになる。
【００４１】
以上のように構成される単独作業区画と複合作業区画は、登録することで再利用できるように構成されている。その登録先は、作業区画テンプレートテーブルと工事本体とに分けられるものであり、作業区画テンプレートテーブルに登録するには、テンプレート作成によって作成し、工事本体への登録は、工事の設計段階で作成されることになる
又、工事本体に組み込まれた複合作業区画は、作業区画テンプレートテーブルに登録することもできるものである。
【００４２】
作業区画テンプレートの登録は、テンプレート作成によって自動的に作業区画テンプレートテーブルに登録されるが、単独作業区画に含まれる工事は、図８のように単独作業区画テンプレートテーブルが持っている管理番号で保持され、複合作業区画に含まれる工事は、図９のような複合作業区画テンプレートテーブルが持っている管理番号で保持されることになる。
【００４３】
２．工事データの入力
本発明によるコンピュータによる工程管理システムは、上述したように工程管理ソフトＡＳＰ等で構成される工程管理エンジンとデータファイルを作成する入力プログラムとから構成されているので、工事への適用に当たっては、登録されている作業区画テンプレートに計画される工事に従って、図１に示すように工事データの入力５が行なわれる。
【００４４】
本実施の形態における工事データの作成・入力は、各テーブル等をコンピュータの画面に以下の画面を表示して、順次に移動したり同時に開くことによって行われるものである。
・作業設計画面
・作業区画テンプレート設計画面
・工事設計画面
【００４５】
単独作業や連立作業のデータ入力操作は、作業設計画面上で行われるものであり、それぞれの作業テーブルに所要のプロパティを入力する。但し、労務・資材のデータに関しては、各テーブルに登録されているデータから利用できるデータを選択して読み込ませる。
【００４６】
又、単独作業区画や複合作業区画における操作も、作業区画テンプレート設計画面上で行われるものであり、それぞれの作業区画テーブルに所要のプロパティを入力して編集する。しかして、上記で編集した単独作業や連立作業を雛形として利用しても編集することになるが、複合作業区画に関しては、階層毎の編集において、作業区画テンプレート設計画面上のツリーから該当する作業区画を選択すると共に作業区画編集画面に切換をすることによって、選択した作業区画を該当する階層の作業区画テーブルに複写して所定の編集をすることもできる。
【００４７】
以上の操作によって編集されたそれぞれの作業や作業区画から構成される工事データは、本工事の工事データの一つとして使用するが、それ自体を雛形にして別途の工事に再利用することも可能である。
【００４８】
さらに、工事設計画面においてのデータ入力操作は、既存の作業もしくは新規に作成した作業の作業区画テーブルに所用のプロパティを入力したり、作業区画の雛形を読み込み、配置することで編集するものであり、場合によっては、他の工事テーブルから該当する作業区画を選択しながらこれを複写することによって所定の工事テーブルを編集することもできる。
【００４９】
そして、編集された工事データは、本工事の工事データとして登録すると共に、それを雛形にして別途の工事に再利用することも可能である。
【００５０】
以上のように作成された工事テーブルは、工事に関する面積や工事量等を実際の数値として該当する各作業区画に挿入させながら、各作業区画を組み合わせ、その施工順序や各作業区画における施工の開始条件等を設定することによって、工事全体についてその工程を計算できる基礎データをシミュレーション可能にしている。
【００５１】
３．シミュレーションモデルと全体工程表の作成
図１で工程の流れを示している入力した各データから作成されるシミュレーションモデルの作成６は、従来と同様に工程管理ソフトＡＳＰ等で構成される工程管理エンジンで行うことになるが、この際に必要な他の情報等は、工程管理エンジン上で入力されることによって工程間の接続作業を形成することになる。
シミュレーションモデルの作成に当たっては、入力済みのデータを書き直すことも必要になるので、データを工程管理エンジンから入力プログラムに書き戻して再入力することを可能にしいる。
【００５２】
但し、これらのデータ書き直しは、工事設計即ち作業区画テンプレート設計段階までとしている。
【００５３】
以上のように所定のデータ入力を行ったシミュレーションモデルは、工程管理エンジンで図１のように実行７されることによって、工程の計算と工程表の作成を行う段階に至る。しかして、この最終段階においても、必要な場合には上記の修正工程を繰り返し出来るように構成してある。
【００５４】
本発明によるコンピュータによる工程管理システムは、以上のような工程の流れによって構成されているが、各工程におけるコンピュータ画面の実施例は、図１０〜図１３に示すようになる。
【００５５】
図１０は、基本になる作業の定義の画面であって、左側には単独作業の一覧が表示され、画面の右側には、作成する単独作業の情報が表示されている。又、連立作業の定義、単独作業区画及び複合区画の定義についても同様に表示されるので、その説明を省略する。
【００５６】
図１１は、複合作業区画を配置した工事モデルの例である。図示のように画面の左側には、工事対象のマンションにおける作業区画と作業の情報が表示されており、画面の右側には、建物、作業区画、連立作業及び単独作業等が選択可能に表示されているので、工事内容に合わせて具体的な数値を入力することで所定の工事モデルを編集することができる。
【００５７】
又、図１２は、図示されることで編集された連立作業及び単独作業等を相互間で接続作業する工程を示しており、所定のデータ入力を行いながら全工程の計算を行うことで、図１３のように全工事のシミュレーションモデルを作成して工程表の打ち出しも可能になっている。
【００５８】
以上のように、本発明によるコンピュータによる工程管理システムは、内装・設備工事を作業に関する要素群と作業区画に関する要素群とに区分し、要素群を各要素の最小単位と最小単位の集合体である複合体とに整理して、各工事の工程を最小単位と複合体とで工事の工程を管理することを基本にしているので、内装・設備工事の工程シミュレーションと階層的管理を可能にすると共に作業工程に伴う時間、労務、資機材等の数量管理等を容易にしている。
【００５９】
以上、本発明を実施の形態に基づいて詳細に説明してきたが、本発明による  コンピュータによる工程管理システムは、上記実施の形態に何ら限定されるものでなく、内装・設備工事における作業や作業区画に関する要素等については、本発明の上記の趣旨を逸脱しない範囲において種々の変更が可能であることは当然である。
【００６０】
【発明の効果】
本発明のコンピュータによる工程管理システムは、内装・設備工事を作業に関する要素群と作業区画に関する要素群とに区分し、要素群を各要素の最小単位と最小単位の集合体である複合体とに整理して、各工事の工程を最小単位と複合体とで工事の工程を管理することを基本にして、共通性の高い要素をライブラリに登録して内装・設備工事に再利用したり、作業区画と作業に関する各複合体が、最小単位や他の複合体を有しており、作業区画の最小単位が、作業に関する要素を有し、作業の最小単位が、作業に伴う労務・資機材に関する要素を有していることを特徴としているので、内装・設備工事は、コンピュータによる工程管理を導入することで、工程シミュレーションと階層的管理を可能になると共に、作業工程に伴う時間、労務、資機材等の数量管理を容易する効果を発揮している。
【図面の簡単な説明】
【  図１】本発明のコンピュータによる工程管理システムにおける工程計画の流れ図
【  図２】単独作業テーブル図
【  図３】単独作業と連立作業の関連図
【  図４】連立作業テーブル図
【  図５】単独作業区画図
【  図６】単独作業区画と複合作業区画のテーブル図
【  図７】工事対象建物図
【  図８】単独作業区画の登録テーブル図
【  図９】複合作業区画の登録テーブル図
【  図１０】単独作業の定義画面図
【  図１１】工事モデルの作成画面図
【  図１２】接続作業の設定画面図
【  図１３】全工事のシミュレーション画面図
【符号の説明】
１  単独作業の定義、  １’  連立作業の定義、  ２  連立作業の構成図、
２−１〜２−２  連立作業の定義、  ３  単独作業区画の定義、
３’  複合作業区画の定義、  ４  単独作業区画の構成図、
４−１〜４−５  連立作業、  ５  工事データの入力、
６  シミュレーションモデルの作成、  ７  シミュレーションの実行、
【図１】
2004152135.tif 000003
【図２】
2004152135.tif 000004
【図３】
2004152135.tif 000005
【図４】
2004152135.tif 000006
【図５】
2004152135.tif 000007
【図６】
2004152135.tif 000008
【図７】
2004152135.tif 000009
【図８】
2004152135.tif 000010
【図９】
2004152135.tif 000011
【図１０】
2004152135.tif 000012
【図１１】
2004152135.tif 000013
【図１２】
2004152135.tif 000014
【図１３】
2004152135.tif 000015